(57)【要約】【課題】  原稿トレイが給送位置まで上昇して原稿を給送する原稿給送装置において、載置する原稿の枚数が少ない場合でも、原稿給送開始までの時間を短縮する。【解決手段】  原稿トレイ３０に原稿が載置されている状態で、スタートキー４０６やスタートキー以外のキーの何れの押下にも応答して原稿トレイ３０の上昇を開始する。更に、スタートキー４０６の押下に応答して原稿トレイ３０を上昇させる第１モードと、スタートキー以外のキーの押下にも応答して原稿トレイ３０を上昇させる第２モードの何れかを選択可能である。【選択図】  図６
2010143694.tif 000002
【特許請求の範囲】
【請求項１】
原稿を積載するための原稿トレイと、
前記原稿トレイに原稿が載置されたことを検出する原稿検知センサと、
前記原稿トレイを、原稿積載を待機する待機位置と原稿給送が可能な給送位置との間で上昇及び下降させる駆動手段と、
前記原稿トレイが前記給送位置にあるときに、原稿の給送を行う給送手段と、
原稿の給送を伴う処理の開始を指示するスタートキーと、
前記処理の条件を設定するための操作キーと、
前記原稿トレイに原稿が載置されていることが前記原稿検知センサにより検出されている状態で、前記スタートキーと前記操作キーの何れの押下にも応答して前記原稿トレイを上昇させる制御手段と、
を有することを特徴とする原稿給送装置。
【請求項２】
前記原稿トレイに原稿が載置されている状態で、前記スタートキーの押下に応答して前記原稿トレイを上昇させる第１モードと、前記原稿トレイに原稿が載置されている状態で、前記操作キーの押下に応答して前記原稿トレイを上昇させる第２モードの何れかを選択する選択手段を有することを特徴とする請求項１記載の原稿給送装置。
【請求項３】
前記原稿の給送を伴う処理は、前記原稿の画像を読み取る処理を含むことを特徴とする請求項１記載の原稿給送装置。
【請求項４】
前記待機位置は原稿が前記原稿トレイに積載されていないときに下降している位置であることを特徴とする請求項１記載の原稿給送装置。
【請求項５】
原稿を積載するための原稿トレイと、
前記原稿トレイに原稿が載置されたことを検出する原稿検知センサと、
前記原稿トレイを、原稿積載を待機する待機位置と原稿給送が可能な給送位置との間で上昇及び下降させる駆動手段と、
前記原稿トレイが前記給送位置にあるときに、原稿の給送を行う給送手段と、
原稿の給送を伴う処理の開始を指示するスタートキーと、
前記スタートキーとは別に設けられ、前記処理の準備のために操作される操作部材と、
前記原稿トレイに原稿が載置されていることが前記原稿検知センサにより検出されている状態で、前記スタートキーの押下と前記操作部材の操作の何れにも応答して前記原稿トレイを上昇させる制御手段と、
を有することを特徴とする原稿給送装置。
【発明の詳細な説明】
【技術分野】
【０００１】
本発明は、昇降する原稿トレイを有する原稿給紙装置に関するものである。
【背景技術】
【０００２】
近年、原稿の画像情報をデジタルデータに変換し、プリンタ等の画像形成装置やネットワークに接続されたコンピュータ等のストレージデバイスに出力する画像読取装置が広く用いられている。最近では、大量の原稿を早く読み取ることや、さらに、ＦＣＯＴ（Ｆｉｒｓｔ  Ｃｏｐｙ  Ｏｕｔｐｕｔ  Ｔｉｍｅ）すなわち、コピーの開始を指示してから１枚目が出力されるまでの時間が早い装置がスペックとして重要視される傾向も出てきている。それにともない、原稿給送装置の原稿トレイに一度にセットできる原稿の量を増やすことも求められている。そこで、原稿トレイをリフタ機構により昇降させることで、大量の原稿でも少量の原稿でも対応できるような原稿トレイをもつ自動原稿給紙装置が必要とされてきている。
【０００３】
特許文献１には、原稿トレイが昇降機構をもつ自動原稿給紙装置で、第１モードでは原稿がセットされたことを検知したことに応答して、自動的に原稿トレイを上昇させ、第２モードは給紙開始信号受信後に原稿トレイを上昇させることが記載されている。
【０００４】
また、特許文献２には、原稿トレイが昇降機構をもつ自動原稿給紙装置で、原稿給紙開始時に原稿トレイを上昇させてから給紙を開始し順次原稿を給送し、原稿トレイ内の最終原稿の給送が終了した時点で原稿トレイを下降させることが記載されている。
【特許文献１】特開平１１−２３７７７０号公報
【特許文献２】特開平０９−１６６８３１号公報
【発明の開示】
【発明が解決しようとする課題】
【０００５】
しかしながら、特許文献１の第１モードでは、原稿が原稿トレイにセットされたことを検知するとすぐに自動で原稿トレイが上昇することになる。しかし、大量の原稿を小分けにして原稿トレイにセットする際、小分けにした１つの原稿束をセットしている最中に原稿トレイが上昇してしまう。しかし、原稿トレイが上昇中にユーザが原稿をセットするような動きになるため、すべての原稿を原稿トレイにセットする前に、原稿トレイが給紙開始可能意位置まで上昇してしまい、ユーザがすべての原稿をセットできないという不具合が発生する可能性がある。また、原稿トレイが上昇中に強引に原稿をセットする場合には、原稿をセットする空間が徐々に狭くなっていくところに原稿をセットすることになるので、原稿を適切にセットすることができない可能性がある。その結果、原稿が折れたり、原稿セット完了後に給紙を開始しても原稿給紙不良が発生して紙詰まりが発生したりする可能性がある。
【０００６】
また、特許文献１の第１モード及び特許文献２では、読取開始の指示の入力後に、原稿トレイを給紙可能な位置まで上昇させて順次原稿搬送路へ原稿を搬送させている。従って、ユーザが原稿トレイに原稿セットするミスオペレーションになることはほとんどないが、原稿トレイにセットする原稿が少ない場合には、原稿トレイの上昇する量が多くなり、原稿を給紙開始可能になるまでの時間が長くなってしまう。
【課題を解決するための手段】
【０００７】
上記の課題を解決するために、本発明の原稿給送装置は、原稿を積載するための原稿トレイと、前記原稿トレイに原稿が載置されたことを検出する原稿検知センサと、前記原稿トレイを、原稿積載を待機する待機位置と原稿給送が可能な給送位置との間で上昇及び下降させる駆動手段と、前記原稿トレイが前記給送位置にあるときに、原稿の給送を行う給送手段と、原稿の給送を伴う処理の開始を指示するスタートキーと、前記処理の条件を設定するための操作キーと、前記原稿トレイに原稿が載置されていることが前記原稿検知センサにより検出されている状態で、前記スタートキーと前記操作キーの何れの押下にも応答して前記原稿トレイを上昇させる制御手段と、
を有することを特徴とする。
【０００８】
また、本発明の原稿給送装置は、原稿を積載するための原稿トレイと、前記原稿トレイに原稿が載置されたことを検出する原稿検知センサと、前記原稿トレイを、原稿積載を待機する待機位置と原稿給送が可能な給送位置との間で上昇及び下降させる駆動手段と、前記原稿トレイが前記給送位置にあるときに、原稿の給送を行う給送手段と、原稿の給送を伴う処理の開始を指示するスタートキーと、前記スタートキーとは別に設けられ、前記処理の準備のために操作される操作部材と、前記原稿トレイに原稿が載置されていることが前記原稿検知センサにより検出されている状態で、前記スタートキーの押下と前記操作部材の操作の何れにも応答して前記原稿トレイを上昇させる制御手段と、を有することを特徴とする。
【発明の効果】
【０００９】
本発明によれば、処理の開始を指示するスタートキーの押下とスタートキー以外のキーの押下の何れにも応答して原稿トレイを上昇させるので、少量の原稿をセットする場合でも原稿給送開始までの時間を短くすることができる。
【発明を実施するための最良の形態】
【００１０】
（第１の実施の形態）
以下、本発明の実施の形態を図面に従って説明する。
【００１１】
［画像読取装置および自動原稿給送装置］
図１は本実施形態における自動原稿給紙装置（ＡＤＦ）１００と画像読取装置２００の構成を示す断面図である。
【００１２】
図１は、原稿トレイ３０が下降している状態を示している。ＡＤＦ１００は、１枚或いは複数枚の原稿で構成される原稿束Ｓを積載する原稿トレイ３０と、原稿の搬送開始前に、原稿束Ｓが原稿トレイ３０より突出して下流への進出を規制する分離ローラ対２と、給紙ローラ１とを有する。給紙が開始していない場合や原稿がセットされていない場合には、原稿トレイ３０は下降可能な最下限の位置で停止している。なお、原稿を原稿トレイ３０にセットしただけでは原稿トレイ３０は上昇しない。原稿有無検知センサ１７は原稿トレイ３０の原稿の有無を検知する。底面検知センサ１８は、原稿トレイ３０が最下限位置まで下降していることを検知する。
【００１３】
原稿トレイ３０は、図４に示すように、リフタ機構３１により原稿トレイ３０を底面側から支えられつつ、リフタ機構３１の回動軸３２を中心に所定角度区間を回動することでリフタ板３３が上下動作する。図４（ａ）に示すように、回動軸３２が時計回りに回動することによりリフタ板３３が上昇し、原稿トレイ３０はリフタ板３３により押し上げられるようにして上昇する。また、図４（ｂ）に示すように、回動軸３２が反時計回りに回動することによりリフタ板３３が下降し、原稿トレイ３０はリフタ板３３による支持がなくなることで自然に下降する。
【００１４】
原稿トレイ３０を上昇させる場合、原稿トレイ３０上にセットされた原稿束Ｓの最上面の原稿を原稿検知センサ１９により検知することで、給送可能な給送位置まで原稿トレイ３０が上昇したことが判断され、リフタ機構３１の駆動が停止する。その結果、原稿トレイ３０の上昇動作が停止する。図３は原稿トレイ３０が原稿を給送可能な給送位置まで上昇した状態を示している。
【００１５】
原稿トレイ３０を下降させる場合、リフタ機構３１により下降動作させ、原稿トレイ底面検知センサ１８により原稿トレイ底面が検出されることで、原稿トレイ３０が最下限位置まで下降したことを判断され、リフタ機構３１の駆動が停止する。その結果、原稿トレイ３０の下降動作が停止する。この最下限位置が原稿積載を待機する待機位置となる。
【００１６】
原稿の読取開始指示が入力されると、画像読取装置２００のスキャナユニット２０９が基準白色板２１９直下の位置まで移動し、シェーディング補正が実施される。シェーディング補正実施後、スキャナユニット２０９は流し読みガラス２０１直下の位置まで移動し、原稿が読み取り位置に到達するまで待機する。
【００１７】
一方、読取開始指示が入力されたことに応じて、原稿トレイ３０が原稿給送可能な位置まで上昇した後、給送手段としての給紙ローラ１が原稿トレイ３０に積載された原稿束Ｓの最上面の原稿上に落下し回転開始する。これにより、原稿束の最上面の原稿が給紙される。給紙ローラ１によって給送された原稿は分離ローラ対２の作用によって１枚に分離される。この分離は周知の分離技術によって実現されている。
【００１８】
分離ローラ対２によって分離された原稿は、搬送ローラ対３により、レジストレーションローラ（以下レジストローラと称す）４へ搬送され、レジストローラ４に原稿を突き当てられる。これにより、原稿にループが形成され、原稿の先端側の斜行が解消される。
【００１９】
レジストローラ４の下流側には、さらに給送ローラ５および原稿読取ローラ６が設けられ、給送ローラ５、原稿読取ローラ６及び原稿読取プラテンローラ７により流し読みガラス２０１上に送られる。なお、ガラス２０１に搬送される際に、リードセンサ１２により原稿先端が検知される。リードセンサ１２がオンしたタイミングから原稿読取ローラ６および原稿読取プラテンローラ７の駆動源（図示せず）のクロックを計数することで搬送中の原稿先端位置が検知される。原稿先端位置が予め決められている原稿画像先端基準位置に到達したことが検知されると、スキャナユニット２０９により流し読み画像取り込みが実施される。原稿読取プラテンローラ７により給送された原稿は、搬送ローラ８および搬送ローラ９で搬送され、排紙センサ１３により原稿後端が検知されると、原稿後端検知タイミングをトリガとして、さらに排紙ローラ１０まで搬送される。片面読み取りの場合は原稿はそのまま原稿排紙トレイ３５へ排出される。
【００２０】
分離後センサ１５で原稿後端が知されると、原稿トレイ３０上の次原稿の有無が原稿有無検知センサ１７で検知される。原稿有無検知センサ１７により原稿トレイ３０上の原稿無しを検知した場合には、原稿トレイ３０が下降する。
【００２１】
原稿の両面を読み取る場合は、排紙ローラ１０に原稿を噛ませた状態で、排紙ローラ１０を逆転させて排紙フラッパ２１の位置を切り替えることにより、反転パス２２へ原稿が移動する。移動した原稿はパス２２からレジストローラ４へ突き当てられ、再度原稿にループが形成されることによって、原稿の先端の斜行が解消される。その後、給送ローラ５及び原稿読取プラテンローラ７により再び原稿を流し読みガラス２０１へ移動させることで、原稿の裏面が読み取られる。
【００２２】
また、原稿トレイ３０には、積載された原稿束Ｓの幅方向にスライド可能なガイド規制板（図示せず）が設けられているとともに、このガイド規制板に連動して原稿幅を検出する原稿幅検知センサ（図示せず）が設けられている。原稿幅検知センサとレジ前センサ１６で原稿の先端を検出し、分離後センサ１５により原稿の後端を検出することにより原稿長を検出され、検知した原稿長と原稿幅検知センサとの組み合わせから、原稿サイズが判別される。
【００２３】
画像読取装置２００は、原稿固定読みの場合は、光学スキャナユニット２０９が図１矢印に示す副走査方向に移動することで、原稿台ガラス２０２上に載置された原稿の画像が読み取られる。また、原稿流し読みの場合は、光学スキャナユニット２０９をＡＤＦ１００の原稿読取プラテンローラ７の読取中心位置に来るように移動し、原稿読取プラテンローラ７の読取中心位置でＡＤＦ１００で搬送中の原稿を読み取る。原稿は、流し読みガラス２０１、原稿台ガラス２０２、ランプ２０３とミラー２０４を有するスキャナユニット２０９、ミラー２０５、２０６、レンズ２０７、ＣＣＤセンサユニット２１０を備えた光学系で読み取られる。読み取られた原稿の画像情報は光電変換されて、図示しないコントローラ部に画像データとして転送される。
【００２４】
また、基準白色板２１９は、シェーディングによる白レベルの基準データを作成するための白板である。なおＣＣＤセンサユニット２１０は、カラー画像読取用（ＲＧＢ）３ラインセンサユニット２１２、白黒画像読取用ラインセンサユニット２１１で構成される。
【００２５】
［ブロック図の説明］
図２はＡＤＦ１００及び画像読取装置２００の構成を示すブロック図である。
【００２６】
２−ａはＡＤＦ１００の制御ブロックであり、制御手段としてのＣＰＵ３００、リードオンリーメモリ（以下、ＲＯＭ）３０１、ランダムアクセスメモリ（以下、ＲＡＭ）３０２、出力ポート、及び、入力ポートを備えている。ＲＯＭ３０１には、制御用プログラムが格納されており、ＲＡＭ３０２には、入力データや作業用データが格納されている。出力ポートには、各種搬送用のローラを駆動するモータ３０３、ソレノイド３０６、クラッチ３０７が接続されており、入力ポートには、各種センサ３０４がそれぞれ接続されている。図１および図３に示されるリードセンサ１２、排紙センサ１３、分離後センサ１５、原稿有無検知センサ１７等の各種センサが図２の各種センサ３０４で表されている。図１および図３に図示しない駆動源等のモータは図２のモータ３０３、同様に図示しないソレノイドおよびクラッチはソレノイド３０６、クラッチ３０７で表されている。
【００２７】
ＣＰＵ３００は、バスラインを介して接続されたＲＯＭ３０１に格納された制御プログラムにしたがって原稿搬送を制御する。また、ＣＰＵ３００は、画像読取装置２００の中央演算処理装置（ＣＰＵ）３２１と制御用通信線３５１を介してシリアル通信を行い、画像読取装置２００との間で制御データの授受を行うようになっている。また、原稿画像データの先端の基準となる画先信号も制御用通信線３５１を通して画像読取装置２００に通知される。
【００２８】
２−ｂは、画像読取装置２００の制御ブロックである。ＣＰＵ３２１は画像読取装置２００の制御をすべて行っている。ＣＰＵ３２１にはプログラムを格納したＲＯＭ３２２，ワークエリアとして使用されるＲＡＭ３２３が接続される。３２６は光学系モータドライブ部であり、光学系駆動モータを駆動させるためのドライバ回路である。画像読取装置２００には、ランプ３２７、ＣＣＤセンサユニット２１０が接続されている。ＣＰＵ３２１は、光学系モータドライバ部３２６を制御し、画像処理部３２５を介してＣＣＤセンサユニット２１０を制御することで画像読取処理を実施している。
【００２９】
紙搬送を実現するために、ＣＰＵ３２１はＣＰＵ３００に制御用通信線３５１を介して紙搬送制御についてのコマンドを指示する。指示されたＣＰＵ３００が搬送パス上に設置されている各センサ３０４をモニタし、負荷である搬送用のモータ３０３、ソレノイド３０６、クラッチ３０７を駆動することで、紙搬送制御を実現している。このように、ＣＰＵ３２１はＡＤＦ１００による紙搬送と、画像読取装置２００による画像読取制御を行っている。
【００３０】
ＣＣＤセンサユニット２１０から出力される画像信号はデジタル画像データに変換され、さらに画像処理部３２５でシェーディングをはじめとして、各種画像処理が施されて、画像メモリ部３２９に書き込まれる。画像メモリ部３２９に書き込まれたデータは順次、画像転送用クロック信号線を含むコントローラインターフェース画像通信線３５３を通してコントローラ部４００へ送信される。
【００３１】
２−ｃは画像処理用コントローラ部４００の回路ブロックである。コントローラ部４００は、画像読取装置２００、自動原稿給紙装置１００を含む画像読取システムとしての全体を制御する装置であり、コントローラ制御部４０１、変倍回転等の画像制御回路４０２、補正回路４０３を有している。
コントローラ部４００は、操作部４０５からのキー入力を判断し、コピー等ジョブの設定情報やジョブ開始トリガを判断する。
【００３２】
原稿給送装置１００、画像読取装置２００、コントローラ部４００を１つのＣＰＵで制御する構成としてもよい。例えば、画像読取装置２００のＣＰＵ３２１が原稿給送装置１００や操作部４０５等の制御を行う構成としてもよい。
【００３３】
図５は操作部４０５を示す図である。４０６は、コピージョブ開始指示、ファクシミリ送信や画像読取の開始指示を入力するスタートキーである。また、４０７の点線で囲まれた領域はテンキーなどの入力キーである。４０８の点線で囲まれた領域は、タッチパネルディスプレイで構成され、コピーや画像読み取りの条件の設定を行ったり、種々の情報が表示される。
【００３４】
［原稿トレイの上昇時間］
一例として、本実施形態で使用される原稿トレイ３０は、最大で約３００枚の原稿を積載可能な構成となっている。そのため、原稿トレイ３０が昇降する構成となっているが、原稿トレイ３０原稿トレイ３０に積載される原稿束Ｓの量に応じて、リフタ上昇時間が異なってくる。例えば、原稿束Ｓの量が約３００枚の場合には、リフタの上昇量はわずかであり、上昇に要する時間は０．５秒程度と短い。一方、原稿束Ｓの量が１枚の場合には、給紙搬送路と原稿トレイ３０上の最上面原稿との高さの差が多い、２．５秒程度必要となる。
【００３５】
［原稿トレイの上昇動作］
以下、本実施形態におけるＡＤＦ１００の原稿トレイ３０の昇上昇動作について説明する。
【００３６】
原稿を原稿トレイ３０にセットする際に、ユーザの使用環境により使い勝手のよい原稿トレイ上昇方法が異なる。そこで、本実施形態では、原稿トレイ３０の上昇動作の方法を選択可能としている。図６は原稿トレイ３０の上昇方法を選択するための操作画面である。この画面４０９は図５のタッチパネルディスプレイ４０８に表示される。画面４０９では、第１モードおよび第２モードのいずれかを選択できるようになっており、機器の初期設定として、ユーザが予め設定しておく。第１モードでは、スタートキー４０６が押下されたことに応答して原稿トレイ３０が上昇開始する。第２モードでは、ジョブ開始のためのスタートキー４０６の押下前でも、４０７のキーの何れか或いはタッチパネルディスプレイ４０８のキーの何れか、即ち、スタートキー以外の操作キーが押下されたことに応答して原稿トレイ３０が上昇開始する。なお、第２モードでもスタートキー４０６が押下されたことに応じても原稿トレイ３０が上昇を開始する。
【００３７】
第１モードが選択されている状態では、原稿を原稿トレイ３０にセットした後にスタートキーを押下しない限り、原稿トレイ３０は上昇しない。また、第１モードでは、原稿トレイ３０への原稿のセットと画像形成や読み取りのモード設定のためのキー操作はどちらが先に行われても構わない。従って、確実に原稿トレイ３０に原稿をセットしてから原稿トレイを上昇させることができる。
【００３８】
また、ユーザが原稿を原稿トレイ３０にセットした後に、画像形成のモードの設定のためスタートキー以外のキーを押下する場合は、像形成ジョブを実行する可能性が高い。そこで、第２モードが選択されている状態では、原稿を原稿トレイ３０にセットした後に、モード設定のために何れかのキーを押下した時点で原稿トレイ３０が上昇開始する。従って、スタートキー４０６を押下する前に、原稿トレイ３０の上昇を開始させておくことができ、積載される原稿の枚数が少なくても原稿給送開始までの時間を短縮できる。更に、第１モードと同様、確実に原稿トレイ３０に原稿をセットしてから原稿トレイを上昇させることができる。
【００３９】
また、大量の原稿を小分けにして原稿トレイへセットすることが考えられる。しかし、第２モードのみを有する構成では、小分けした原稿を原稿トレイへセットしている途中で、誤って、操作部のキーに触れてしまい、意図しないタイミングで原稿トレイが上昇してしまう惧れがある。そこで、第１モードを選択可能とすることにより、確実に原稿を原稿トレイへセットしたことを確認してからスタートキーを押下して原稿トレイを上昇させることもできる。
【００４０】
図２のＡＤＦ１００のＣＰＵ３００は、各種センサ３０４や各種モータ３０３等を制御しており、読取装置２００のＣＰＵ３２１との通信により、各種センサ３０４情報や各種モータ３０３の状態を制御情報として読取装置２００のＣＰＵ３２１に通知している。読取装置２００のＣＰＵ３２１は、ＡＤＦ１００との通信により得られるＡＤＦ１００の各種センサ３０４、各種モータ３０３の制御情報に基づき、必要に応じてＡＤＦ１００に実施させる処理をコマンドとしてＡＤＦ１００のＣＰＵ３００に指示する。例えば、給紙動作を開始させるために給紙モータを回転させたり、分離後センサ１５の情報に応じてモータを停止させる等の処理コマンドがＣＰＵ３２１からＣＰＵ３００へ通知される。
【００４１】
また、読取装置２００のＣＰＵ３２１は、コントローラ部４００の制御部４０１との通信により、コントローラ部４００で検知される操作部４０５からの入力情報を得ることで、ユーザのキー操作を検知することができる。こうして、読取装置２００のＣＰＵ３２１はコントローラ部４００の制御部４０１との通信により、常に操作部４０５で入力された情報を得ることができる。これらの情報の中には、スタートキー４０６の操作やスタートキー４０６以外の操作部４０５のキー操作が含まれる。読取装置２００のＣＰＵ３２１は、操作部４０５から入力される情報を監視し、ＡＤＦ１００へコマンドを送信したり、読取装置２００の制御を実施している。
【００４２】
図１１は読取装置２００のＣＰＵ３２１の制御フローチャートである。ＣＰＵ３２１は、ジョブの有無にかかわらず、装置電源（図示しない）がＯＮしている限り、図１１のフローチャートを実行する。ＣＰＵ３２１は、ＡＤＦ１００のＣＰＵ３００と常時通信し、ＡＤＦ１００の制御情報を入手するとともに、必要に応じでＡＤＦ１００のＣＰＵ３００に制御コマンドを通知する（Ｓ１２０２）。更に、ＣＰＵ３２１は、コントローラ部４００の制御部４０１とも常時通信を実施しており、コントローラ部４００との情報更新を実行する（Ｓ１２０３）。そして、ＣＰＵ３２１は、制御部４０１との通信で更新された情報に応答したイベントがあるかをチェックしている（Ｓ１２０４）。例えば、ユーザがジョブを開始するため、図５に示すスタートキー４０６を押下すると、制御部４０１はキー入力されたことを認識し、読取装置２００のＣＰＵ３２１に通知する。ジョブ開始通知を受信したＣＰＵ３２１は、ジョブ開始通知に応答するイベント、すなわち、ジョブを開始させるため読取装置２００の準備およびＡＤＦ１００の原稿搬送準備を行う（Ｓ１２０５）。イベント実施すると、ＡＤＦ１００のＣＰＵ３００との通信処理（Ｓ１２０２）に戻る。制御４０１との通信で更新された情報に応答したイベントがなければ、ＡＤＦ１００のＣＰＵ３００との通信処理（Ｓ１２０２）に戻る。Ｓ１２０２〜Ｓ１２０５までの処理が装置電源がＯＮしている限り繰り返し実施される。
【００４３】
なお、原稿トレイ３０を上昇させる場合には、読取装置２００のＣＰＵ３２１がＡＤＦ１００のＣＰＵ３００に対して、原稿トレイ３０を上昇させるべく、リフタ機構３１の駆動源のリフタモータを回転させる指示を通知する。ＣＰＵ３００はリフタモータ回転指示の通知を受信すると、各種モータ３０３のうちのリフタモータを回転させるように動作する。なお、リフタモータにより原稿トレイ３０が上昇し、原稿検知センサ１９により、原稿束Ｓの最上面の原稿が検知されると、ＡＤＦ１００のＣＰＵ３００から読取装置２００のＣＰＵ３２１に原稿トレイ３０の上昇終了が通知される。そして、読取装置２００のＣＰＵ３２１は、原稿トレイ３０の上昇を停止させるために、ＡＤＦ１００のリフタ機構３１のリフタモータの駆動を停止させる指示をＡＤＦ１００のＣＰＵ３００に通知する。リフタモータ停止通知を受信したＣＰＵ３００は、リフタモータ停止するように制御する。なお、ＣＰＵ３００が原稿検知センサ１９の出力に基づいてリフタモータの駆動を停止させてもよい。
【００４４】
図６に示す設定画面４０９での選択結果も、制御部４０１からＣＰＵ３２１へ通知される。ＣＰＵ３２１は、通知された情報に応じたイベントとして、選択された原稿トレイ３０の上昇方法に応じた原稿トレイ上昇制御を実施する。
【００４５】
次に、原稿トレイ上昇制御について図７のフローチャートに基づいて説明する。このフローチャートは読取装置のＣＰＵ３２１により実行される。
【００４６】
ＣＰＵ３２１は、制御部４０１からの通信により原稿トレイ３０の上昇モードが第１モードか第２モードの何れであるか判断する（Ｓ７０２）。第１モードが選択されている場合、ＣＰＵ３２１は、スタートキー４０６が押下されたか否かを判断する（Ｓ７０４）。スタートキー４０６が押下されると、ＣＰＵ３２１は、原稿トレイ３０上に原稿が載置されているか否かをＣＰＵ３００との通信により判断する（７０５）。原稿トレイ３０に原稿が載置されていれば、ＣＰＵ３２１は、ＡＤＦ１００を使用したジョブであると判断し、原稿トレイ３０を上昇させる指示及び原稿給送の指示をＣＰＵ３００へ通知する（Ｓ７１２）。原稿トレイ３０に原稿が載置されていなければ、ＣＰＵ３２１は、プラテンガラス２０２にセットされた原稿の読み取りであると判断して圧板ジョブとして処理を行う（Ｓ７１１）。このように、第１モードが選択されている場合には、スタートキー４０６の入力に応答して原稿トレイの上昇開始するようにしているため、確実に原稿をセットすることができる。
【００４７】
また、ステップＳ７０２で、第２モードが選択されていることが判断された場合、ＣＰＵ３２１はスタートキー４０６以外のキーが入力されたか否かを制御部４０１との通信により判断する（Ｓ７０７）。スタートキー４０６以外のキーが入力された場合、ＣＰＵ３２１は、原稿トレイ３０に原稿が載置されているか否かをＣＰＵ３００との通信により判断する（Ｓ７０８）。原稿トレイ３０に原稿が載置されている場合、ＣＰＵ３２１は、ＡＤＦ１００を使用したジョブであると判断し、原稿トレイ３０を上昇させる指示及び原稿給送の指示をＣＰＵ３００へ通知する（Ｓ７１３）。そして、ＣＰＵ３２１はスタートキー４０６が入力されるのを待って（Ｓ７１６）、ＣＰＵ３００へ原稿給送の指示をする。一方、ステップＳ７０７でスタートキー４０６以外のキーが入力されたことが判断されていない場合、ＣＰＵ３２１はスタートキー４０６が入力されたか否かを制御部４０１との通信により判断する（Ｓ７０９）。ステップＳ７０８で原稿トレイ３０に原稿がセットされていない場合も同様に、ステップＳ７０９へ進む。スタートキー４０６が入力されていない場合は、ステップＳ７０７からの処理が繰り返される。スタートキー４０６が入力された場合、ＣＰＵ３２１は、原稿トレイ３０に原稿が載置されているか否かをＣＰＵ３００との通信により判断する（Ｓ７１０）。原稿トレイ３０に原稿が載置されている場合、ＣＰＵ３２１は、ＡＤＦ１００を使用したジョブであると判断し、原稿トレイ３０を上昇させる指示及び原稿給送の指示をＣＰＵ３００へ通知する（Ｓ７１４）。原稿トレイ３０に原稿が載置されていなければ、ＣＰＵ３２１は、プラテンガラス２０２にセットされた原稿の読み取りであると判断して圧板ジョブとして処理を行う（Ｓ７１５）。このように、第２モードでは、原稿を原稿トレイにセットした後に、像形成や読み取りのモードを設定するために、操作部４０５のキーを操作したことに応答して原稿トレイ３０の上昇が開始されるので、原稿給送の開始までの時間が短縮できる。即ち、スタートキー４０６を押下する頃には原稿トレイ３０の上昇が完了しているか、もうすぐ完了する状態となっているので、原稿の枚数が少ない場合でも原稿トレイ３０の上昇を待つ時間が短くなる。
【００４８】
（第２の実施の形態）
ＡＤＦ１００でＡ３サイズ等搬送方向に長い原稿を扱うことがある。この場合のユーザの操作として、図８に示す様に、排紙トレイ３５上から読み取りが終了した原稿が落ちないように排紙トレイ３５から排紙サブトレイ３６を引き出すことが想定される。即ち、ジョブが開始される前にユーザが行う操作として、操作部材としての排紙サブトレイ３６が引き出されたことを排紙サブトレイ３６近傍の排紙サブトレイセンサ３７で検知する。排紙サブトレイ３６が引き出されたことが検知された直後、原稿トレイ３０に原稿がセットされていた場合には、その検知に応答して原稿トレイ３０の上昇開始させる。これにより第１の実施形態と同様に、スタートキー４０６の押下前に原稿トレイ３０の上昇を開始させることができる。
【００４９】
以下、第２の実施形態における原稿トレイ３０の上昇動作の制御について図９のフローチャートを用いて説明する。
【００５０】
第１モードが選択されている場合の処理は、図７のステップＳ７０３，Ｓ７０４，Ｓ７０５，Ｓ７１１，Ｓ７１２と同じである。第２モードが選択されている場合、ＣＰＵ３２１は、排紙サブトレイ３６が引き出されたか否かをＣＰＵ３００との通信により判断する（Ｓ９０７）。ＣＰＵ３００は排紙サブトレイセンサ３７がオフしたことにより排紙サブトレイ３６が引き出されたことを検知し、ＣＰＵ３２１へ通知する。ステップＳ９０８及びＳ９０９以降の処理は図７のステップＳ７０８及びＳ７０９以降の処理と同じである。
【００５１】
このように、第２モードが選択されている場合には、スタートキー４０６の押下前に排紙サブトレイ３６の引き出しが検知されたことに応答して原稿トレイ３０を給紙可能な給紙搬送路の高さまで上昇させる。これにより、原稿給送を開始するまでの時間を短縮できる。
【００５２】
また、Ａ３サイズ等の搬送方向に長い原稿を支持するための原稿サブトレイを原稿トレイ３０から引き出し可能に設け、原稿が原稿トレイ３０に積載されている状態で、この原稿サブトレイの引き出しに応答して原稿トレイ３０の上昇を開始させるようにしてもよい。この場合の原稿サブトレイは、原稿搬送方向の後端側を支持する役目を果たす。
【００５３】
（他の実施の形態）
ユーザによっては、直前のコピージョブがＡＤＦを使用しない圧板ジョブかもしれないと考えて、原稿を原稿トレイ３０にセットした後にＡＤＦ１００を開閉して、原稿台上の原稿の有無を確認する操作を実施するかもしれない。図１０（ａ）はＡＤＦ１００が開けられた場合の側面から見た図であり、図１０（ｂ）ではＡＤＦ１００が閉じられた場合の側面から見た図である。ＡＤＦ開閉検知センサ４１がＡＤＦ開閉検知フラグ４０を検知しているかどうかでＡＤＦ１００が開いた状態であるか閉じた状態であるかを検知することができる。従って、第２モードが選択されている状態で、ＡＤＦ１００が開かれた後に閉じられたことが検知され、且つ、閉じられた時点で原稿トレイ３０に原稿が載置されていることが検知されていることに応答して、原稿トレイ３０の上昇を開始するようにしてもよい。
【図面の簡単な説明】
【００５４】
【図１】第１の実施の形態における画像読取装置及び原稿給紙装置の断面図である。
【図２】原稿給紙装置及び画像読取装置の構成を示すブロック図である。
【図３】画像読取装置及び自動原稿給紙装置の断面図である。
【図４】原稿給紙装置のリフタ機構について説明する図である。
【図５】操作部を示す図である。
【図６】リフタ上昇方法を選択する設定画面を示す図である。
【図７】第１の実施の形態における原稿トレイ上昇の制御を示すフローチャートである。
【図８】第２の実施の形態における画像読取装置及び原稿給紙装置の断面図である。
【図９】第２の実施の形態における原稿トレイ上昇の制御を示すフローチャートである。
【図１０】原稿給紙装置の開閉状態を示す図である。
【図１１】画像読取装置のＣＰＵ３２１の常時処理を示すフローチャートである。
【符号の説明】
【００５５】
１７  原稿有無検知センサ
３０  原稿トレイ
１００  自動原稿給紙装置、
２００  画像読取装置
３００  原稿給送装置のＣＰＵ
３２１  画像読取装置のＣＰＵ
４０５  操作部
４０６  スタートキー
４０７  テンキー等
４０８  タッチパネルディスプレイ
【図１】
2010143694.tif 000003
【図２】
2010143694.tif 000004
【図３】
2010143694.tif 000005
【図４】
2010143694.tif 000006
【図５】
2010143694.tif 000007
【図６】
2010143694.tif 000008
【図７】
2010143694.tif 000009
【図８】
2010143694.tif 000010
【図９】
2010143694.tif 000011
【図１０】
2010143694.tif 000012
【図１１】
2010143694.tif 000013